(57)【特許請求の範囲】
【請求項１】
導光板を介して表示部を照明する光源を有する矩形板状の表示ユニットと、前記表示ユニットに着脱自在に装着されるとともに前記表示ユニットの前記光源に電力を供給する器具本体とを備えた照明装置であって、
前記表示ユニットが、
相対向する両面の前記器具本体に装着される部分に設けられ前記器具本体に係止される被係止部と、
相対向する両面の前記器具本体に装着される部分に設けられ前記器具本体への装着方向と直交する方向に突出したガイド棒と、
前記光源と電気接続される電気接続部とを備え、
前記器具本体が、
前記表示ユニットの前記被係止部を係止する係止部と、
前記表示ユニットの前記ガイド棒を前記器具本体への装着方向にガイドするガイド溝と、
前記表示ユニットの前記電気接続部へ電力を供給する電気接続コネクタとを備え、
前記ガイド棒が前記ガイド溝に沿って移動して前記被係止部が前記係止部に係止されることにより前記表示ユニットが前記器具本体に装着されるとともにこの装着時に前記電気接続部が前記電気接続コネクタと接続されることを特徴とする照明装置。
【請求項２】
前記表示ユニットが前記器具本体の下方より装着されるとともに、
前記係止部と前記被係止部との係止を解除すると、前記ガイド棒が前記表示ユニットの落下を阻止するように前記器具本体に係止されることを特徴とする請求項１記載の照明器具。
【請求項３】
前記器具本体が係止板を備え、
前記器具本体の前記係止部を前記係止板に設けられた係止穴とするとともに、
前記表示ユニットの前記被係止部を前記表示ユニットの両面から外側に突出した弾性を有する係止片としたことを特徴とする請求項１または請求項２のいずれかに記載の照明装置。
【請求項４】
前記ガイド溝を前記係止板に設けたことを特徴とする請求項３記載の照明装置。
【請求項５】
前記表示ユニットが前記光源を保持するホルダを有するプリント配線板を備え、
前記表示ユニットの前記電気接続部が前記プリント配線板に設けられたことを特徴とする請求項１乃至請求項４のいずれかに記載の照明装置。
【請求項６】
前記記プリント配線板の前記導光板側の面に白色塗装または白色印刷が施されたことを特徴とする請求項５記載の照明装置。
【請求項７】
前記プリント配線板に非常時用充電手段のモニター手段を搭載したことを特徴とする請求項５または請求項６のいずれかに記載の照明装置。
【発明の詳細な説明】
【０００１】
【発明の属する技術分野】
この発明は、導光板を用いて表示部を後方より照射して表示する照明装置に関する。
【０００２】
【従来の技術】
図８は、例えば特開平４−２０６１０６号公報に示された従来の照明装置を示す断面図であり、図において１は天井に埋設する下側に開口部を有する器具本体で光源３とこの光源３を点灯させる装置を収容している。２は内部に導光板を有した表示ユニットであり、蓋体４に締結一体にして器具本体１へ係止片５によって係止され、この光源３の点灯で表示ユニット内の導光板に光が入射し表示物を後方より照射するものである。
【０００３】
しかしながら上記の従来例では光源３が器具本体１に取付けられているため光源３を交換する時には表示ユニット２と蓋体４の締結一体物を外すことが必要で高所における交換作業には非常に手間がかかる構成となっている。
【０００４】
以上のような構成に対して、図９は特開平７−２４０１０４号公報に示されたもので、図において照明装置は器具本体１と表示ユニット２の２つのユニットから構成されている。器具本体１は天井面等に取付けられる天付部６が設けられ下面に表示ユニット２が着脱可能に嵌合する開口部７が形成されている。
器具本体１の内部には光源の点灯装置と導電性を有する一対のプラグ受体８が取付けられ、このプラグ受体８に点灯装置が電気接続されている。
表示ユニット２は内部に光を導き、反射拡散させる導光板９を収納し、この導光板９の上端面に向けて開口する断面略Ｕ字状の反射体１０が取付けられて、この反射体１０の両端には一対の断面略Ｃ字状に形成された導電性とばね弾性を持つホルダ１１が付けられており、冷陰極ランプ１２はこのホルダ１１に電気接続状態に保持されている。
反射体１０の上面には導電性を有する金属製で各ホルダ１１に電気接続される一対の膨出部１３を有するプラグ１４が上方に突設されている。
【０００５】
また、同公報の他の例においては、図１０に示すように表示ユニット２の両端面に係止孔１５があって奥側に表示ユニットの内部に収納された冷陰極ランプ（図示せず）に電気接続された端子部１６が配設されている。
器具本体１の底板１ａに形成された開口部１７の両端縁部の上面には導電性を有し、円柱状に形成された係止体１８と導電性を有するスプリング（図示せず）が保持金具１９により底板１ａに保持されている。スプリングは常に係止体１８を内方に突出するように付勢し、器具本体内部の点灯装置にリード線２０で電気接続されている。
【０００６】
次に従来技術の動作について説明する。図８において器具本体１は天井面に取付けられ、内部に蛍光ランプ等の光源３が配設されている。器具本体１の下部には表示ユニット２が内部の導光板端面が光源３と対向するように配置され、表示ユニット２に締結一体された蓋体４の係止片５によって天井面へ着脱可能に係止される。光源３が点灯することで導光板端面より光が入射し導光板の拡散反射手段によって表示ユニット２の表示物を後方より照射する。
【０００７】
図９においては、表示ユニット２の上端面に冷陰極ランプ１２が反射体１０の両端の一対のホルダ１１に装着されて配設されている。ホルダ１１は反射体１０の上面に電気接続されている一対のプラグが突設されており後述の器具本体内のプラグ受体８に接続される。
器具本体内のプラグ受体８は点灯装置に電気接続されており、このプラグ受体８の内径の膨出部１３の直径より小さく形成されているため、プラグ１４をプラグ受体８に圧入した際に膨出部１３がプラグ受体８の内壁に弾性的に圧接して電気接続されるとともに、摩擦力によって機械的保持される。
【０００８】
図１０においては、器具本体１の係止体１８を外方へ移動させた状態で、表示ユニット２の上部を開口部１７に挿入し、係止体１８を内方へ移動させることにより、係止体１８の先端部を係止孔１５に挿入して機械的に保持するとともに、係止体１８の先端を端子部１６に圧接して電気接続をする。
【０００９】
【発明が解決しようとする課題】
上記従来例の照明装置では、器具本体に光源が搭載されて表示ユニットと別に構成されているため、光源を交換する場合、高所作業において表示ユニットを外してから光源を交換するため作業性が悪い。
【００１０】
また、光源を表示ユニット内に配設しプラグを突設した場合においては光源の交換作業性は向上したが、プラグの弾性力と摩擦力だけでは機械的な保持力に欠けるもので、振動や物が当たった場合の衝撃には耐えられるものではない。
【００１１】
また、スプリングによって係止体を表示ユニットに挿入し電気接続するとともに機械的にも保持することは可能であるが、係止体を機械的に作用させるための組立に手間がかかる等製造する上での問題がある。
【００１２】
また、停電等により照明装置が消えるのを防ぐために充電装置を備え、その充電状態を表示する場合があるが、器具本体に取付けられ見にくいという問題があった。
【００１３】
この発明は上記のような問題点を解決するためになされたもので、光源の交換を容易にできるとともに、施工時においても表示ユニットの取付けを容易にし、さらに表示ユニットへの振動や衝撃に対しても落下等の危険がなく組立作業性を向上した照明装置を提供することを目的とする。
【００１４】
【課題を解決するための手段】
この発明に係る照明装置においては、導光板を介して表示部を照明する光源を有する矩形板状の表示ユニットと、前記表示ユニットに着脱自在に装着されるとともに前記表示ユニットの前記光源に電力を供給する器具本体とを備えた照明装置であって、表示ユニットが、相対向する両面の器具本体に装着される部分に設けられ器具本体に係止される被係止部と、相対向する両面の器具本体に装着される部分に設けられ器具本体への装着方向と直交する方向に突出したガイド棒と、光源と電気接続される電気接続部とを備え、器具本体が、表示ユニットの被係止部を係止する係止部と、表示ユニットのガイド棒を器具本体への装着方向にガイドするガイド溝と、表示ユニットの電気接続部へ電力を供給する電気接続コネクタとを備え、ガイド棒がガイド溝に沿って移動して被係止部が係止部に係止されることにより表示ユニットが器具本体に装着されるとともにこの装着時に電気接続部が電気接続コネクタと接続されるものである。
【００１５】
また、表示ユニットが器具本体の下方より装着されるとともに、係止部と被係止部との係止を解除すると、ガイド棒が表示ユニットの落下を阻止するように器具本体に係止されるものである。
【００１６】
また、器具本体が係止板を備え、器具本体の係止部を係止板に設けられた係止穴とするとともに、表示ユニットの被係止部を表示ユニットの両面から外側に突出した弾性を有する係止片としたものである。
【００１７】
また、ガイド溝が係止板に設けられたものである。
【００１８】
また、表示ユニットが光源を保持するホルダを有するプリント配線板を備え、表示ユニットの電気接続部がプリント配線板に設けられたものである。
【００１９】
また、プリント配線板の導光板側の面に白色塗装または白色印刷が施されたものである。
【００２０】
また、前記プリント配線板に非常時用充電手段のモニター手段を搭載したものである。
【００２１】
【発明の実施の形態】
実施の形態１．
以下、この発明の一実施の形態を図１〜図４について説明する。図１はこの発明の実施の形態１である照明装置を示す斜視図、図２は表示ユニットの斜視図、図３は本装置に使用する冷陰極ランプの斜視図、図４は図１の部分拡大図である。
図において、この発明の照明装置は、器具本体１と表示ユニット２の２つのユニットより構成されている。１は断面略口字状に形成された器具本体であり、内部に点灯装置６、表示ユニット２との電気接続される内部にコンタクト６５を有する電気接続コネクタ５１及び機械的保持をする係止部５５を備えた係止板５４が器具本体の両端近傍に配設され、上面が天井面へ取付けられる。５０は器具本体１を覆う枠体であり、器具本体の上面に対向する面に表示ユニット２が挿入する開口部１２がもうけられている。
【００２２】
表示ユニット２は底面、側面及び端面が形成され底面と対向する面が開口し  た箱状で、側面近傍には一対のプリント配線板５２が電気接点部５３を表示ユニット２より突設するように配設されている。プリント配線板５２は、表示ユニット２のほぼ中央部に冷陰極ランプ６０の金属製キャップ５９を電気的に接続し機械的弾性力で保持するホルダ５８が半田により接続され電気接点部５３までプリント配線により導通されている。
表示ユニット２の両側面の外隔側上部には、コ字状の切り欠き６１によって表示ユニット２内方へ弾性的に可動する係止片５７が設けられ、底面に対向する開口した面には冷陰極ランプ６０を収容する溝６４を備えた導光板６３が開口面を覆うように設けられ、この導光板６３に表示板６２が取付けられている。
なお、導光板６３の表面は拡散反射をする処理が行われており、プリント配線板５２の導光板６３側の表面は反射を良くするため、白色塗装または白色印刷がされている。
【００２３】
図４において、６８は表示ユニット２の両側面上端部に設けられたガイド棒、６９は係止板５４に設けられ、ガイド棒６８が挿入される切り欠き部、７５は表示ユニット２を器具本体１に装着する時にガイド棒６８を装着方向にガイドするガイドストレート部、７６は切り欠き部６９とガイドストレート部７５の間の傾斜部である。
【００２４】
次に、電気接続関連の動作について説明する。器具本体１内の点灯装置６と電気接続コネクタ５１内のコンタクト６５はリード線６６等を用いて電気的に接続され電気接続コネクタ５１として表示ユニット２へ電流を供給する。
表示ユニット２より突設したプリント配線板の電気接点部５３とコンタクト６５は、表示ユニット２を器具本体１に取付ける時、プリント配線板５２が電気接続コネクタ５１の角穴６７に挿入されることで電気接点部５３とコンタクト６５が電気的に圧接接触してプリント配線に電流が供給される。
プリント配線板５２のプリント配線はホルダ５８と電気接続されていることでホルダ５８より冷陰極ランプ６０の金属製キャップ５９に電流が供給され冷陰極ランプが点灯する。
点灯によって発生した光は導光板６３の溝６４の壁より導光板６３内へ入射し拡散反射によって導光板６３の表面より出射して表示板６２の後方より照射して表示板６２を照明する。
【００２５】
次に機械的な表示ユニットの保持について説明する。表示ユニット２の両側面上端部に設けられたガイド棒６８を、器具本体１に設けられた係止板５４の切り欠き部６９よりを挿入する。次に、ガイド棒６８をガイド傾斜部７６とガイドストレート部７５に沿って表示ユニット２を器具本体１に装着する。
器具本体１の両端近傍に設けられた係止板５４の係止部５５に対して、表示ユニット２の電気的接続の動作と同時に係止片５７が表示ユニット２の内方へ弾性的に可動し、係止部５５において弾性力が解除され、外方へ再び突出することによって、係止片底部５６が係止部５５に載置され、表示ユニット２が器具本体１へ機械的に保持される。
また、器具本体１より表示ユニット２を外すには係止片５７を外から内方向へ押し込み係止片底部５６を係止部５５より解除し下方へ表示ユニット２を引き出すことで表示ユニット２が取り外すことができる。
【００２６】
以上のように、冷陰極ランプ６０を交換するには、表示ユニット２を取り外せば高  所での交換作業とならず、例えば机上で容易に交換することができる。
また、照明装置の設置工事においても細く折れ易い冷陰極ランプ６０に触れることなく工事ができるため施工作業性を良くすることができる。
さらに、ガイド棒６８が装着されているので表示ユニットを器具本体にスムーズに装着することができ、誤って係止片５７を押してしまった場合、係止片底部５６が係止部５５より外れた場合でもガイド棒６８が係止部５５で止まり、表示ユニット２の落下を防ぐこともできる。
また、プリント配線板の導光板側の面を白色塗装または白色印刷したので、表示ユニットの冷陰極ランプの端部の発光しない部分の暗部を明るくすることができる。
さらに、部品点数が少なく、組立加工性を良くすることができる。
【００２７】
なお、以上の実施の形態では、表示板６２が表示ユニット２の片側にある場合を示  したが、表示ユニット２を背中合わせに２個配置し、表示を表示ユニット２の両側にすることができる。
【００２８】
実施の形態２．
なお、実施の形態１では係止片５７を表示ユニット２の両側面の外隔側上部に設けたものを示したが、図５に示すように、表示板６２の表面側と表示ユニットの底面裏側に一対ずつの係止片６９を設け、コ字状の切り欠き７４によって表示ユニット内方へ弾性的に可動することにより、器具本体１の係止板７１の係止部７２に係止片底部７０が載置される。また、表示ユニット２を器具本体１より外すには係止片６９を内方へ押すか、係止片６９と連接一体に設けた操作部７３を押して取り外す。
本実施の形態の照明装置は、実施の形態１の図１で示された照明装置係止片５７が建造物との間隙が少ないため、器具本体１に表示ユニット２を装着できないときに使用することができる。
【００２９】
実施の形態３．
また、図６に示すように、プリント配線板５２を表示ユニット２の底面裏側へ突出させ突出部へ電気接続接点５３を設けてもよく、壁面へ取付けて使用する照明装置に使用することができる。
【００３０】
実施の形態４．
本実施の形態は、停電等で照明装置が消えるのを防ぐため充電電池の充電状態を示すモニタ手段の取付けに関するものであり、図７について説明する。            図において、  ７６はプリント配線板５２の下方部に設けられたモニタ手段であ  る発光ダイオードであり、冷陰極ランプ６０へのプリント配線５３に並設するように発光ダイオード用の電気  接点５３ａが設けられている。
以上のように、発光ダイオード７６への電流供給はリード線によって点灯装置と電気接続コネクタ５１の発光ダイオード用に設けるコンタクトまでの接続で済み、表示ユニット下部までリード線で継ぐ必要がないことから、短いリード線で済み組立作業性を良くすることができる。
また、表示ユニット２内のリード線がないことから表示面へのリード線による影を防止できる。
【００３１】
【発明の効果】
この発明は、以上説明したように構成されているので、以下に示すような効果を奏する。
【００３２】
導光板を介して表示部を照明する光源を有する矩形板状の表示ユニットと、前記表示ユニットに着脱自在に装着されるとともに前記表示ユニットの前記光源に電力を供給する器具本体とを備えた照明装置であって、表示ユニットが、相対向する両面の器具本体に装着される部分に設けられ器具本体に係止される被係止部と、相対向する両面の器具本体に装着される部分に設けられ器具本体への装着方向と直交する方向に突出したガイド棒と、光源と電気接続される電気接続部とを備え、器具本体が、表示ユニットの被係止部を係止する係止部と、表示ユニットのガイド棒を器具本体への装着方向にガイドするガイド溝と、表示ユニットの電気接続部へ電力を供給する電気接続コネクタとを備え、ガイド棒がガイド溝に沿って移動して被係止部が係止部に係止されることにより表示ユニットが器具本体に装着されるとともにこの装着時に電気接続部が電気接続コネクタと接続されるので、光源の取付け及び交換を容易にすることができるとともに、表示ユニットを器具本体にスムーズに装着できる。
【００３３】
また、表示ユニットが器具本体の下方より装着されるとともに、係止部と被係止部との係止を解除すると、ガイド棒が表示ユニットの落下を阻止するように器具本体に係止されるので、係止部と被係止部との係止を誤って解除してしまっても、表示ユニットの落下を防止できる。
【００３４】
また、器具本体が係止板を備え、器具本体の係止部を係止板に設けられた係止穴とするとともに、表示ユニットの被係止部を表示ユニットの両面から外側に突出した弾性を有する係止片としたので、光源の取付け及び交換を容易にすることができ、また、部品点数を少なくすることができる。
【００３５】
また、ガイド溝が係止板に設けられたので、部品点数を少なくすることができる。
【００３６】
また、表示ユニットが光源を保持するホルダを有するプリント配線板を備え、
表示ユニットの電気接続部がプリント配線板に設けられたので、部品点数を少なくすることができる。
【００３７】
また、プリント配線板の導光板側の面に白色塗装または白色印刷が施されたので、光源の発光しない端部を明るくすることができる。
【００３８】
また、前記プリント配線板に非常時用充電手段のモニター手段を搭載したので、組立作業性を良くすることができ、モニター手段に接続されるリード線の表示面への影を防止することができる。
【図面の簡単な説明】
【図１】  この発明の実施の形態１を示す照明装置の一部を破断した斜視図である。
【図２】  この発明の実施の形態１を示す照明装置の表示ユニットの分解斜視図である。
【図３】  この発明の実施の形態１を示す照明装置の冷陰極ランプの斜視図である。
【図４】  この発明の実施の形態１を示す照明装置の部分拡大斜視図である。
【図５】  この発明の実施の形態２を示す照明装置の部分拡大斜視図である。
【図６】  この発明の実施の形態３を示す照明装置の分解斜視図である。
【図７】  この発明の実施の形態４を示す照明装置の一部を破断した斜視図である。
【図８】  従来の照明装置を示す断面図である。
【図９】  従来の他の照明装置を示す断面図である。
【図１０】  従来の他の照明装置を示す斜視図である。
【符号の説明】
１  器具本体、２  表示ユニット、５１  電気接続コネクタ、５２  プリント配線板、５３  電気接点部、５７  係止片、５８  ホルダ、６０  冷陰極ランプ、６３  導光板、６８  ガイド棒、７６  発光ダイオード、７８  白色塗装、白色印刷。
【図１】
0003731764.tif 000002
【図２】
0003731764.tif 000003
【図３】
0003731764.tif 000004
【図４】
0003731764.tif 000005
【図５】
0003731764.tif 000006
【図６】
0003731764.tif 000007
【図７】
0003731764.tif 000008
【図８】
0003731764.tif 000009
【図９】
0003731764.tif 000010
【図１０】
0003731764.tif 000011